(57)【要約】      （修正有）【課題】蓋板に対する把持部の起立状態を確実に保持できる包装用箱を提供する。【解決手段】上部に開口部が形成される箱本体１２と、開口部を閉鎖する一対の蓋板３１・３２と、各蓋板３１・３２に対して起立し、重ね合わされて把持部１８を形成する一対の把手板と、各把手板の両端部を保持することで、蓋板３１・３２が開口部を閉鎖する状態を保持し、各把手板の両端部の保持を解除することで、蓋板３１・３２の開封を可能な状態とする保持板９１・９２と、を備える包装用箱であって、把手板の両端縁には、それぞれ少なくとも第１係合片８３と第２係合片８４が間隔をおいて形成され、各保持板９１・９２の縁部より内側には、第１係合片８３が係合及び離脱する第１係合部９３と、第２係合片８４が係合及び離脱する第２係合部９４とが形成される。【選択図】図９
0003166429.tif 000002
【実用新案登録請求の範囲】
【請求項１】
上部に開口部が形成される箱本体と、
前記開口部を閉鎖する一対の蓋板と、
前記各蓋板に対して起立し、重ね合わされて把持部を形成する一対の把手板と、
前記各把手板の両端部を保持することで、前記蓋板が前記開口部を閉鎖する状態を保持し、前記各把手板の両端部の保持を解除することで、前記蓋板の開封を可能な状態とする保持板と、を備える包装用箱であって、
前記把手板の両端縁には、それぞれ少なくとも第１係合片と第２係合片が間隔をおいて形成され、
前記各保持板の縁部より内側には、前記第１係合片が係合及び離脱する第１係合部と、前記第２係合片が係合及び離脱する第２係合部とが形成されていることを特徴とする包装用箱。
【請求項２】
前記第１係合片と前記第２係合片は差込片であり、
前記第１係合部は、前記第１係合片が挿通する係合孔又は係合スリットであり、
前記第２係合部は、前記第２係合片が挿通する係合孔又は係合スリットである、ことを特徴とする請求項１に記載の包装用箱。
【請求項３】
前記第１係合片及び／又は前記第２係合片は、差込部と係合溝を備えており、前記第１係合部及び／又は前記第２係合部は、前記差込部を挿通し、前記係合溝が係合する係合孔又は係合スリットである、ことを特徴とする請求項１又は請求項２に記載の包装用箱。
【請求項４】
前記第１係合片は、第１係合溝と第２係合溝とを備え、
前記保持板による前記把手板の保持を解除する際、前記保持板の前記第１係合部は、前記第１係合片の第１係合溝から先に係合が解除される構成であって、
前記第１係合部と前記第１係合溝との係合強度と、前記第１係合部と前記第２係合溝との係合強度とを一致又は異ならせたことを特徴とする請求項３に記載の包装用箱。
【請求項５】
前記第２係合片は、第３係合溝と第４係合溝とを備え、
前記保持板による前記把手板の保持を解除する際、前記保持板の前記第２係合部は、前記第２係合片の第３係合溝から先に係合が解除される構成であって、
前記第２係合部と前記第３係合溝との係合強度と、前記第２係合部と前記第４係合溝との係合強度とを一致又は異ならせたことを特徴とする請求項３又は請求項４に記載の包装用箱。
【請求項６】
前記第１係合部及び／又は前記第２係合部は、略円形に形成されることを特徴とする請求項２から請求項５のいずれか一項に記載の包装用箱。
【請求項７】
前記第１係合部及び／又は前記第２係合部の開孔形状を幾何図形に模ったものとすることを特徴とする請求項２から請求項５のいずれか一項に記載の包装用箱。
【考案の詳細な説明】
【技術分野】
【０００１】
本考案は、包装用箱の構造に関し、より詳細には、包装用箱の把持部の係止構造に関する。
【背景技術】
【０００２】
従来、物品を収納する包装用箱にあっては、運搬を容易とするためにその上部に把手が形成されたものが知られている。
【０００３】
例えば、特許文献１に示すように、底板に対して四枚の側板を起立させた状態で、その上部を蓋板によって閉塞する。さらに蓋上面部片（蓋板）に連設されその両端にそれぞれ一つの係止片を有した把手片（把手板）を起立させる。そして、把手片の係止片が側板に連設され切り込みが形成された握り部支持片（保持板）に挿通係止されることで、蓋上面部片と把手片の固定をおこなう。
【０００４】
しかしながら、上記特許文献１に記載の包装用箱では、把手片の一端に係止片が一つ形成されているだけであり、蓋板に対する起立状態が不安定になる恐れがある。
【先行技術文献】
【特許文献】
【０００５】
【特許文献１】実公平７−２３３７６号公報
【考案の概要】
【考案が解決しようとする課題】
【０００６】
本考案は前記課題に鑑みてなされたものであって、蓋板に対する把持部の起立状態を確実に保持することができる包装用箱を提供することを課題とする。
【課題を解決するための手段】
【０００７】
本考案の解決しようとする課題は以上の如くであり、次にこの課題を解決するための手段を説明する。
【０００８】
即ち、第１の考案においては、上部に開口部が形成される箱本体と、前記開口部を閉鎖する一対の蓋板と、前記各蓋板に対して起立し、重ね合わされて把持部を形成する一対の把手板と、前記各把手板の両端部を保持することで、前記蓋板が前記開口部を閉鎖する状態を保持し、前記各把手板の両端部の保持を解除することで、前記蓋板の開封を可能な状態とする保持板と、を備える包装用箱であって、前記把手板の両端縁には、それぞれ少なくとも第１係合片と第２係合片が間隔をおいて形成され、前記各保持板の縁部より内側には、前記第１係合片が係合及び離脱する第１係合部と、前記第２係合片が係合及び離脱する第２係合部とが形成される。
【０００９】
第２の考案においては、前記第１係合片と前記第２係合片は差込片であり、前記第１係合部は、前記第１係合片が挿通する係合孔又は係合スリットであり、前記第２係合部は、前記第２係合片が挿通する係合孔又は係合スリットである。
【００１０】
第３の考案においては、前記第１係合片及び／又は前記第２係合片は、差込部と係合溝を備えており、前記第１係合部及び／又は前記第２係合部は、前記差込部を挿通し、前記係合溝が係合する係合孔又は係合スリットである。
【００１１】
第４の考案においては、前記第１係合片は、第１係合溝と第２係合溝とを備え、前記保持板による前記把手板の保持を解除する際、前記保持板の前記第１係合部は、前記第１係合片の第１係合溝から先に係合が解除される構成であって、前記第１係合部と前記第１係合溝との係合強度と、前記第１係合部と前記第２係合溝との係合強度とを一致又は異ならせる。
【００１２】
第５の考案においては、前記第２係合片は、第３係合溝と第４係合溝とを備え、前記保持板による前記把手板の保持を解除する際、前記保持板の前記第２係合部は、前記第２係合片の第３係合溝から先に係合が解除される構成であって、前記第２係合部と前記第３係合溝との係合強度と、前記第２係合部と前記第４係合溝との係合強度とを一致又は異ならせる。
【００１３】
第６の考案においては、前記第１係合部及び／又は前記第２係合部は、略円形に形成される。
【００１４】
第７の考案においては、前記第１係合部及び／又は前記第２係合部の開孔形状を幾何図形に模ったものとする。
【考案の効果】
【００１５】
本考案の効果として、以下に示すような効果を奏する。
【００１６】
第１の考案においては、一つの保持板に対して、少なくとも第１係合片及び第２係合片が係合するように把手板に形成されているため、係合片が一箇所で保持板の係合部に係合されるときよりも、蓋板に対する把持部の起立状態を確実に保持することができる。
【００１７】
第２の考案においては、第１の考案の効果に加え、第１係合片及び第２係合片は、それぞれが挿通する第１係合部及び第２係合部を係合孔または係合スリットに適宜変更することで、必要な固定強度や開封容易性のバランスを調整することができる。
【００１８】
第３の考案においては、第１及び第２の考案の効果に加え、第１係合片及び／又は第２係合片の差込部と係合溝を設ける箇所の組み合わせを適宜変更することで、把手板の起立状態を保持する強さと開封容易性のバランスを調整することができる。
【００１９】
第４の考案においては、第３の考案の効果に加え、第１係合部と第１係合溝との係合強度と、第１係合部と第２係合溝との係合強度とを一致又は異ならせることで、係合強度の強弱の組み合わせを適宜変更することができ、把手板の起立状態を保持する強さと開封容易性のバランスを調整することができる。
【００２０】
第５の考案においては、第３及び第４の考案の効果に加え、第２係合部と第３係合溝との係合強度と、第２係合部と第４係合溝との係合強度とを一致又は異ならせることで、係合強度の強弱の組み合わせを適宜変更することができ、把手板の起立状態を保持する強さと開封容易性のバランスを調整することができる。
【００２１】
第６の考案においては、第２から第５の考案の効果に加え、第１係合部及び／又は第２係合部と、それらに対応する第１係合片及び／又は第２係合片とに大きな隙間が形成されるため、第１係合部及び／又は第２係合部へ第１係合片及び／又は第２係合片を係合し易くすることができる。
【００２２】
第７の考案においては、第２から第５の考案の効果に加え、第１係合部及び／又は第２係合部の開孔形状を幾何図形に模ることで、包装用箱に意匠的なアクセントを付することができ、美観に優れた包装用箱を提供することができる。
【図面の簡単な説明】
【００２３】
【図１】実施形態に係る包装用箱１０の箱展開形成体１１の平面図。
【図２】左側板２４と連結フラップ２８・２９を折畳む過程を示す平面図。
【図３】固着部２４ｂ・２５ｂを折畳部２４ａ・２５ａに重ね合わせた状態を示す平面図。
【図４】包装用箱１０が折り畳たまれた状態を示す平面図。
【図５】第１係合片８３及び第２係合片８４を示す部分平面図。
【図６】底板２１に対して後側板２３、左側板２４及び右側板２５が起立し保持された状態を示す斜視間略図。
【図７】第１係合片８３及び第２係合片８４が保持板９１の第１係合部９３及び第２係合部９４と係合する途中過程を示す図。
【図８】第１係合片８３及び第２係合片８４が保持板９１の第１係合部９３及び第２係合部９４と係合した状態を示す図。
【図９】組み立てが行われて完成状態の包装用箱１０を示す斜視簡略図。
【図１０】別実施形態に係る包装用箱の第１係合部９３ａ・９３ｂ・９３ｃ及び第２係合部９４ａ・９４ｂ・９４ｃを示す箱展開形成体の部分平面図。
【考案を実施するための形態】
【００２４】
次に、考案の実施の形態について図を用いて説明する。
【００２５】
本考案の第１実施形態に係る包装用箱１０について説明する。
【００２６】
包装用箱１０は、図１に示す箱展開形成体１１を組み立てて形成される。包装用箱１０は、板紙、段ボール等の厚紙で形成されて、菓子等の物品を収納する。包装用箱１０は、厚紙の他、樹脂素材を用いた板状部材等で形成されてもよい。本実施形態に係る包装用箱１０は、図２に示すように、箱本体１２に天部が開閉自在に連設される把手付きの紙箱である。包装用箱１０は図４に示すように、折畳まれた半完成状態で菓子店等に納品され、物品を収納する前に組み立ての一部が行われて、物品収納後にさらに組み立てが行われて完成状態の包装用箱１０とされる（図９参照）。
【００２７】
以下では、説明を容易におこなうため、図６での図示右下側を前方とし、左上側を後方とする。また、上下方向は、包装用箱１０を組み立てて、底板２１を下にして載置した状態で、底板２１側を下方とする。また、箱展開形成体１１の左右対称に現れる箇所は、左側を主として説明をする。尚、第１実施形態の包装用箱１０の平面形状は長方形であるが、正方形等の他の形状に変更してもよい。
【００２８】
図１に示す箱展開形成体１１に従って、包装用箱１０の箱本体１２を構成する部分を説明する。図１は、包装用箱１０の内側となる面を紙面手前側として示している。
【００２９】
底板２１は、包装用箱１０の底部を構成する部分であり、長方形に形成される。底板２１の前後辺（図示上下辺）には、箱本体１２の前後の側板を構成する一対の前側板２２及び後側板２３が、前側板折目線４１及び後側板折目線４２を介してそれぞれ連設される。底板２１の左右辺には、箱本体１２の左右の側板を構成する一対の左側板２４及び右側板２５が、左側板折目線４３及び右側板折目線４４を介してそれぞれ連設される。
【００３０】
さらに、左側板２４及び右側板２５の前端（前辺）には、補助側板折目線４５・４６を介して一対の補助側板２６・２７がそれぞれ連設される。補助側板折目線４５・４６は、前方（図示下方）に突出する円弧状に形成される。後側板２３の左右辺となる辺には、連結フラップ２８・２９が連結フラップ折目線４７・４８を介して連設される。
【００３１】
連結フラップ２８・２９の下辺となる辺には、前側となる側に係止部２８ａ・２９ａが下方に突出するように形成される。一方、後側板折目線４２上には、包装用箱１０が半完成状態の際に、係止部２８ａ・２９ａを差し込むための切れ目である収納係止孔７１・７２が形成される。一方、左側板折目線４３及び右側板折目線４４上には、包装用箱１０が組み立てられた際に、係止部２８ａ・２９ａを差し込むための切れ目である起立係止孔７３・７４が形成される。
【００３２】
左側板２４及び右側板２５は、折畳部２４ａ・２５ａ、固着部２４ｂ・２５ｂ、及び、折畳折目線２４ｃ・２５ｃによって構成される。折畳折目線２４ｃ・２５ｃは、左右側板２４・２５の下辺（後側板折目線４２の近傍）から上辺に掛けて、左側板２４及び右側板２５を略二等分するように形成される。そして、折畳折目線２４ｃ・２５ｃを介して、左側板２４及び右側板２５は、その後上側が固着部２４ｂ・２５ｂ、その前下側が折畳部２４ａ・２５ａとなるように区画される。
【００３３】
次に、包装用箱１０の天部を構成する部分を説明する。
【００３４】
天部は、箱本体１２の上部の開口部を閉塞するとともに、包装用箱１０の持ち運びを容易にするための部分である。天部は、蓋部１３と把持部１８と支持部１９とによって構成される。
【００３５】
蓋部１３を構成する蓋板３１・３２は、前側板２２及び後側板２３の上辺となる辺に、蓋板折目線５１・５２を介して連設される。蓋板３１の図示下端部には、把持部１８の後側板を構成する把手板８１が、把手板折目線５３を介して連設される。同様に、蓋板３２の図示上端部には、把持部１８の前側板を構成する把手板８２が、把手板折目線５４を介して連設される。
【００３６】
把手板折目線５３・５４は、左右途中で分断されており、分断された箇所には蓋板３１・３２から蓋板片３１ａ・３２ａが延設される。蓋板片３１ａ・３２ａは、前記把手板折目線５３・５４よりも前記把手板８１・８２側に突出するように切り込んだ切れ目により形成される。従って、把手板折目線５３・５４及び蓋板片３１ａ・３２ａを介して、把手板８１は、その上側が持手部８１ａ・８２ａとなるように形成される。
【００３７】
さらに、把手板８１・８２の両端は、把手板折目線５３・５４に対して略４５度に傾斜した端辺である斜辺８１ｂ・８１ｃ・８２ｂ・８２ｃが形成される。把手板８１の左の斜辺８１ｂには、外方に突出するように第１係合片８３及び第２係合片８４が配置される。第１係合片８３は、第２係合片８４よりも上方（図示右下方）に適宜の間隔をとって配置される。第２係合片８４は、把手板折目線５３の左端に隣接する箇所に配置される。
【００３８】
ここで、把持部１８の係合片は、把手板８１の中央に対して左右対称に配置され、把手板８１は把手板８２と前後一対（図示上下一対）となって形成される。そのため、把手板８１の第１係合片８５と、第２係合片８６と、把手板８２の第１係合片１８３・１８５と、第２係合片１８４・１８６の説明は省略する。
【００３９】
図１及び図５に示すように、第１係合片８３は、差込片である差込部８３ａと、第１係合溝８３ｂと、第２係合溝８３ｃとによって構成される。差込部８３ａは、前述の第１係合片８３における斜辺８１ｂよりも突出した部分である。第１係合溝８３ｂは、差込部８３ａと斜辺８１ｂとが成す把手板８１中央側の溝（開口部）である。第２係合溝８３ｃは、差込部８３ａと斜辺８１ｂとが成す把手板８１外側の溝（開口部）である。第１係合溝８３ｂの開口部の角度をαとし、第２係合溝８３ｃの開口部の角度をβとする。角度α及び角度βは、それぞれ後述する保持板９１・９２の第１係合部９３・９５との係合強度の大小に関係する要素となる。
【００４０】
第２係合片８４は、差込片である差込部８４ａと、第３係合溝８４ｂと、第４係合溝８４ｃとによって構成される。差込部８４ａは、前述の第１係合片８３における斜辺８１ｂより突出した部分である。第３係合溝８４ｂは、差込部８４ａと斜辺８１ｂとが成す上部の溝（開口部）である。第４係合溝８４ｃは、差込部８４ａと斜辺８１ｂの延長線８１Ｅとが成す下部の溝（開口部）である。第３係合溝８４ｂの開口部の角度をγとし、第４係合溝８４ｃの開口部の角度をδとする。角度γ及び角度δは、それぞれ後述する保持板９１・９２の第２係合部９４・９６との係合強度の大小に関係する要素となる。
【００４１】
一方、左側板２４・２５の上辺となる辺には、支持板折目線５５・５６を介して保持板９１・９２が連設される。各保持板９１・９２の縁部より内側には、第１係合片８３・１８３・８５・１８５が係合及び離脱する第１係合部９３・９５と、第２係合片８４・１８４・８６・１８６が係合及び離脱する第２係合部９４・９６とが形成されている。
【００４２】
第１係合部９３・９５と第２係合部９４・９６は、適宜の間隔をとって上下方向（図示左右方向）に形成され、第１係合部９３・９５は、略円形の係合孔として形成される。第２係合部９４・９６は、スリット孔とされ、その下端（図示右端、図視左端）が支持板折目線５５に至るまで開孔される。
【００４３】
次に、包装用箱１０を箱展開形成体１１から半完成状態（図４参照）まで組み立てる場合について説明する。
【００４４】
図１に示す箱展開形成体１１の状態から図２に示すように、連結フラップ折目線４７・４８を谷折することで、連結フラップ２８・２９は、後側板２３の上面に重なるように折畳まれる。そして、左側板折目線４３を谷折することで、左側板２４は底板２１に重なるように折畳まれる。さらに、折畳折目線２４ｃを山折りすることで、固着部２４ｂ及び保持板９１が折畳部２４ａの上面（外側面）に重なるように折畳まれる。同様に右側板２５も、右側板折目線４４を谷折することで、底板２１に重なるように折畳まれる。さらに、折畳折目線２５ｃを山折りすることで、固着部２５ｂ及び保持板９２が折畳部２５ａの上面（外側面）に重なるように折畳まれ図３に示す状態となる。
【００４５】
続いて、後側板折目線４２を谷折することで、図４に示すように、後側板２３は底板２１に重なるように折畳まれる。従って、後側板２３の左右に連設された連結フラップ２８・２９は、左側板２４及び右側板２５の固着部２４ｂ・２５ｂの上面に重なるように配置される。左右側板２４・２５の固着部２４ｂ・２５ｂと連結フラップ２８・２９の接触する部分には、連結フラップ固定部６１・６２が連結フラップ折目線４７・４８に沿うように形成される。その連結フラップ固定部６１・６２に接着剤等の固着手段を付することで、左右側板２５の固着部２４ｂ・２５ｂと連結フラップ２８・２９とは貼着固定される。この半完成状態では、連結フラップ２８・２９の係止部２８ａ・２９ａは、後側板折目線４２上にある収納係止孔７１・７２に挿入することで、係止部２８ａ・２９ａに邪魔されること無く後側板折目線４２を谷折することができる。
【００４６】
従って、包装用箱１０は折畳まれた略Ｉ字状の半完成状態となる。半完成状態では、包装用箱１０は厚さが薄く、コンパクトであるため、保管や運搬が容易となる。
【００４７】
次に、折畳まれた半完成状態の包装用箱１０を完成体まで組み立てる手順について説明する。
【００４８】
先ず、底板２１に対して後側板２３、連結フラップ２８・２９及び左右側板２４・２５を起立させる。具体的には、底板２１を上方に向けた状態から、後側板２３を持ち上げて、底板２１に対して起立することで、後側板２３と連設する連結フラップ２８・２９が底板２１に対して起立する。
【００４９】
連結フラップ２８・２９が底板２１に対して起立することにより、連結フラップ２８・２９と連結フラップ固定部６１で固定された左右側板２４・２５は、折畳部２４ａ・２５ａと固着部２４ｂ・２５ｂは折畳まれた状態から図６に示す略同一平面となるように展開される。さらに、連結フラップ２８・２９の係止部２８ａ・２９ａが左側板折目線４３及び右側板折目線４４上に形成された起立係止孔７３・７４に挿入されることで、連結フラップ２８・２９が底板２１に対して安定した状態で起立でき、連結フラップ２８・２９と面で接着された左右側板２４・２５も底板２１に対して安定した状態で起立できる。
【００５０】
このように、係止部２８ａ・２９ａの下端部が起立係止孔７３・７４に挿入されていることで、底板２１に対して後側板２３を後側板折目線４２を介して屈曲することを阻止するため、底板２１に対する後側板２３及び左右側板２４・２５の立設を保持することができる。底板２１に対して三側板（後側板２３、連結フラップ２８・２９、及び左右側板２５）を起立保持させることができる。
【００５１】
底板２１に対して三側板が起立した状態において、包装用箱１０の前部及び上部は、開放された状態にある。従って、菓子等の物品を収納する際には、この包装用箱１０の前部及び上部の開放部から、物品を包装用箱１０内に容易に収納することができる。
【００５２】
物品を収納した後、補助側板折目線４５・４６を山折することで、補助側板２６・２７は包装用箱１０の内方へと折り返される。前側板折目線４１を谷折することで、前側板２２は底板２１に対して起立される。前側板２２は、補助側板折目線４５が前方に突出する円弧状に形成されているため、右または左側面視において、上下中途部が前方に突出するように配置される。
【００５３】
次に、天部を組み立てる場合について説明する。
【００５４】
前側板２２及び後側板２３に連設される蓋部１３において、先ず、蓋板折目線５１・５２を谷折して、さらに把手板折目線５３・５４を山折りして、前後の持手部８１ａ・８２ａの内面を接触するように重ね合せる。
【００５５】
その際、蓋板片３２ａの内面は、他方の蓋板３１の外面と接触するように重ね合わされる。他方の蓋板片３１ａの外面は、一方の蓋板３２の内面と接触するように重ね合わされる（図７の（Ａ）参照）。蓋板片３１ａ・３２ａと蓋板３１・３２とが上下逆の接触状態となってもよい。蓋板片３１ａ・３２ａが把手板８１・８２から分離することで、その分離空間に持手部８１ｄ・８２ｄが形成される。
【００５６】
続いて、図７の（Ａ）の矢印に示すように把持部１８に下方の力を加えながら、支持板折目線５５・５６を谷折する。
【００５７】
図７の（Ｂ）に示すように、保持板９１は、支持板折目線５５を中心として矢印の方向に回動（移動）する。そして、最初に、第２係合部９４のスリット孔に第２係合片８４・１８４の差込部８４ａ・１８４ａが挿入される。その際、差込部８４ａ・１８４ａの第４係合溝８４ｃ・１８４ｃ側から第２係合部９４に挿入され、さらに、差込部８４ａ・１８４ａの第３係合溝８４ｂ・１８４ｂ側が挿入される。そして、第１係合部９３の係合孔に第１係合片８３・１８３の差込部８３ａ・１８３ａが挿入する。その際、第１係合部９３には、差込部８３ａの第２係合溝８３ｃ・１８３ｃ側から挿入され、さらに、第１係合溝８３ｂ・１８３ｂ側が挿入され図８に示す状態となる。さらに、把持部１８の他端側も同様に係合作業が行われる。この際、保持板９１は、その内面を斜辺８１ｂ・８２ｂ・８１ｃ・８２ｂに接触するように係合する。
【００５８】
そして、第１係合部９３の係合孔に接触するように第１係合溝８３ｂ及び第２係合溝８３ｃが係合し、第２係合部９４のスリット孔に接触するように第３係合溝８４ｂ及び第４係合溝８４ｃが係合する。従って、把手板８１・８２は、重ね合された状態を保持することができ、蓋板３１・３２に対して起立した状態を安定的に保持することができる。従って、蓋板３２に連設された前側板２２も、底板２１に対して安定した形で起立される。（図９参照）
【００５９】
また、保持板９１・９２による把手板８１・８２の保持を解除する際、前記組み立ての逆の順序で解除をおこなう。
【００６０】
先ず、保持板９１が支持板折目線５５を中心として箱外方に回動される。すると、第１係合片８３・１８３の第１係合溝８３ｂ・１８３ｂ側から先に保持板９１の第１係合部９３との係合が解除される。その後、第１係合片８３・１８３の第２係合溝８３ｃ・１８３ｃ側と保持板９１の第１係合部９３との係合が解除される。
【００６１】
そして、第２係合片８４・１８４においては第３係合溝８４ｂ・１８４ｂ側から先に保持板９１の第２係合部９４との係合が解除される。その後、第２係合片８４・１８４の第４係合溝８４ｃ・１８４ｃ側と保持板９１の第２係合部９４との係合が解除される。
【００６２】
ここで、第１係合片８３・１８３の第１係合溝８３ｂ・１８３ｂの開口部の角度αや、第１係合片８３・１８３に対する保持板９１の第１係合部９３の回動軌跡は、第１係合部９３と第１係合溝８３ｂ・１８３ｂとの係合強度に関係する要素となる。また、第１係合片８３・１８３の第２係合溝８３ｃ・１８３ｃの開口部の角度βや、第１係合片８３・１８３に対する保持板９１の第１係合部９３の回動軌跡は、第１係合部９３と第２係合溝８３ｃ・１８３ｃとの係合強度に関係する要素となる。
【００６３】
具体的には、角度α、角度βが小さい程、係合強度は強くなり、角度α、角度βが大きい程、係合強度は弱くなる。また、第１係合部９３と第１係合溝８３ｂ・１８３ｂとの係合強度は、第１係合片８３・１８３に対する保持板９１の第１係合部９３の回動半径を小さくする程強くなり、反対に、第１係合部９３と第２係合溝８３ｃ・１８３ｃとの係合強度は、第１係合片８３・１８３に対する保持板９１の第１係合部９３の回動半径を大きくする程強くなる。
【００６４】
そこで、これらの要素を適切に設定することにより、第１係合部９３と第１係合溝８３ｂ・１８３ｂとの係合強度と、第１係合部９３と第２係合溝８３ｃ・１８３ｃとの係合強度とを一致又は異ならせる。これにより、係合強度の強弱の組み合わせを適宜変更することができ、把手板の起立状態を保持する強さと開封容易性のバランスを調整することができる。本実施例では、角度αを角度βよりも小さくし、かつ、第１係合片８３・１８３に対する保持板９１の第１係合部９３の回動半径を調整することにより、第１係合部９３と第１係合溝８３ｂ・１８３ｂとの係合強度が、第１係合部９３と第２係合溝８３ｃ・１８３ｃとの係合強度より大きくなるようにしている。
【００６５】
同様に、第２係合片８４・１８４の第３係合溝８４ｂ・１８４ｂの開口部の角度γや、第２係合片８４・１８４に対する保持板９１の第２係合部９４の回動軌跡は、第２係合部９４と第３係合溝８４ｂ・１８４ｂとの係合強度に関係する要素となる。また、第２係合片８４・１８４の第４係合溝８４ｃ・１８４ｃの開口部の角度δや、第２係合片８４・１８４に対する保持板９１の第２係合部９４の回動軌跡は、第２係合部９４と第４係合溝８４ｃ・１８４ｃとの係合強度に関係する要素となる。
【００６６】
具体的には、角度γ、角度δが小さい程、係合強度は強くなり、角度γ、角度δが大きい程、係合強度は弱くなる。また、第２係合部９４と第３係合溝８４ｂ・１８４ｂとの係合強度は、第２係合片８４・１８４に対する保持板９１の第２係合部９４の回動半径を小さくする程強くなり、反対に、第２係合部９４と第４係合溝８４ｃ・１８４ｃとの係合強度は、第２係合片８４・１８４に対する保持板９１の第２係合部９４の回動半径を大きくする程強くなる。
【００６７】
そこで、これらの要素を適切に設定することにより、第２係合部９４と第３係合溝８４ｂ・１８４ｂとの係合強度と、第２係合部９４と第４係合溝８４ｃ・１８４ｃとの係合強度とを一致又は異ならせる。これにより、係合強度の強弱の組み合わせを適宜変更することができ、把手板の起立状態を保持する強さと開封容易性のバランスを調整することができる。本実施例では、角度γを角度δよりも大きくし、かつ、第２係合片８４・１８４に対する保持板９１の第２係合部９４の回動半径を調整することにより、第２係合部９４と第３係合溝８４ｂ・１８４ｂとの係合強度が、第２係合部９４と第４係合溝８４ｃ・１８４ｃとの係合強度より大きくなるようにしている。
【００６８】
尚、本実施形態の各第１係合片８３・１８３・８５・１８５および各第２係合片８４・１８４・８６・１８６は、把手板８１・８２の両端部に左右対称に形成されているが限定するものではない。
【００６９】
保持板９１（９２）に形成された第１係合部９３及び第２係合部９４は、その開孔形状を幾何図形に模ることもできる。つまり、図１０の（Ａ）に示す第１係合部９３の代わりに、花柄の第１係合部９３ａとしたり、図１０の（Ｂ）に示す第２係合部９４の代わりに、菱形の第２継合部９４ａとしたりすることもできる。また、図１０の（ｃ）に示す第１係合部９３及び第２係合部９４の代わりに、星型の第１係合部９３ｂ及び第２継合部９４ｂにすることもできる。図１０の（ｄ）に示す第１係合部９３及び第２係合部９４の代わりに、花型の第１係合部９３ｃ及び矢印型の第２係合部９４ｃとしたりすることもできる。
【００７０】
本実施形態の包装用箱１０は、上部に開口部が形成される箱本体１２と、前記開口部を閉鎖する一対の蓋板３１・３２と、前記各蓋板３１・３２に対して起立し、重ね合わされて把持部１８を形成する一対の把手板８１・８２と、前記各把手板８１・８２の両端部を保持することで、前記蓋板３１・３２が前記開口部を閉鎖する状態を保持し、前記各把手板８１・８２の両端部の保持を解除することで、前記蓋板３１・３２の開封を可能な状態とする保持板９１・９２と、を備える包装用箱１０であって、前記把手板８１・８２の両端縁には、それぞれ少なくとも第１係合片８３・１８３と第２係合片８４・１８４が間隔をおいて形成され、前記各保持板９１・９２の縁部より内側には、前記第１係合片８３・１８３が係合及び離脱する第１係合部９３と、前記第２係合片８４・１８４が係合及び離脱する第２係合部９４とが形成されているものである。
【００７１】
このように構成することにより、一つの保持板９１に対して、少なくとも第１係合片８３・１８３及び第２係合片８４・１８４が係合するように把手板８１・８２に形成されているため、係合片が一箇所で保持板の係合部に係合されるときよりも強固に把持部１８の蓋板３１・３２に対する起立状態を保持することができる。
【００７２】
本実施形態の包装用箱１０は、前記第１係合片８３・１８３と前記第２係合片８４・１８４は差込片であり、前記第１係合部９３は、前記第１係合片８３・１８３が挿通する係合孔又は係合スリットであり、前記第２係合部９４は、前記第２係合片８４・１８４が挿通する係合孔又は係合スリットであるものである。
【００７３】
このように構成することにより、第１係合片８３・１８３及び第２係合片８４・１８４は、それぞれが挿通する第１係合部９３及び第２係合部９４を係合孔又は係合スリットに適宜変更することで、必要な固定強度や開封容易性のバランスを調整することができる。
【００７４】
本実施形態の包装用箱１０は、第１係合片８３・１８３及び／又は第２係合片８４・１８４は、差込部８３ａ・１８３ａ・８４ａ・１８４ａと係合溝を備えており、第１係合部９３及び／又は第２係合部９４は、差込部８３ａ・１８３ａ・８４ａ・１８４ａを挿通し、係合溝が係合する係合孔又は係合スリットである。
【００７５】
このように構成することにより、第１係合片８３・１８３及び／又は第２係合片８４・１８４の差込部と係合溝を設ける箇所の組み合わせを適宜変更することで、必要な把手板８１・８２の起立性の強固や開封容易性のバランスを調整することができる。
【００７６】
本実施形態の包装用箱１０は、第１係合片８３・１８３は、第１係合溝８３ｂ・１８３ｂと第２係合溝８３ｃ・１８３ｃとを備え、保持板９１による把手板８１・８２の保持を解除する際、保持板９１の第１係合部９３は、第１係合片８３・１８３の第１係合溝８３ｂ・１８３ｂから先に係合が解除される構成であって、第１係合部９３と第１係合溝８３ｂ・１８３ｂとの係合強度と、第１係合部９３と第２係合溝８３ｃ・１８３ｃとの係合強度とを一致又は異ならせる。
【００７７】
このように構成することにより、第１係合部９３と第１係合溝８３ｂ・１８３ｂとの係合強度と、第１係合部９３と第２係合溝８３ｃ・１８３ｃとの係合強度とを一致又は異ならせることで、係合強度の強弱の組み合わせを適宜変更することができ、把手板の起立状態を保持する強さと開封容易性のバランスを調整することができる。
【００７８】
本実施形態の包装用箱１０は、第２係合片８４・１８４は、第３係合溝８４ｂ・１８４ｂと第４係合溝８４ｃ・１８４ｃとを備え、保持板９１による把手板８１・８２の保持を解除する際、保持板９１の第２係合部９４は、第２係合片８４・１８４の第３係合溝８４ｂ・１８４ｂから先に係合が解除される構成であって、第２係合部９４と第３係合溝８４ｂ・１８４ｂとの係合強度と、第２係合部９４と第４係合溝８４ｃ・１８４ｃとの係合強度とを一致又は異ならせる。
【００７９】
このように構成することにより、第２係合部９４と第３係合溝８４ｂ・１８４ｂとの係合強度と、第２係合部９４と第４係合溝８４ｃ・１８４ｃとの係合強度とを一致又は異ならせることで、係合強度の強弱の組み合わせを適宜変更することができ、把手板の起立状態を保持する強さと開封容易性のバランスを調整することができる。
【００８０】
本実施形態の包装用箱１０は、前記第１係合部９３及び／又は前記第２係合部９４が、略円形に形成されるものである。
【００８１】
このように構成することにより、第１係合部９３及び／又は第２係合部９４と、それらに対応する第１係合片８３・１８３及び／又は第２係合片８４・１８４とに大きな隙間が形成されるため、第１係合部９３及び／又は第２係合部９４へ第１係合片８３及び／又は第２係合片８４を係合し易くすることができる。
【００８２】
別実施形態の包装用箱１０は、第１係合部９３及び／又は第２係合部９４の開孔形状を幾何図形に模ったものである。
【００８３】
このように構成することにより、包装用箱に意匠的なアクセントを付することができ、美観に優れた包装用箱を提供することができる。
【符号の説明】
【００８４】
１０      包装用箱
１１      箱展開形成体
１２      箱本体
１３      蓋部
１８      把持部
１９      支持部
２１      底板
２２      前側板
２３      後側板
２４      左側板
２５      右側板
２６      補助側板
２７      補助側板
２８      連結フラップ
２９      連結フラップ
３１      蓋板
３２      蓋板
６１      連結フラップ固定部
８１      把手板
８２      把手板
８３      第１係合片
８３ａ    差込部
８３ｂ    第１係合溝
８３ｂ    第１係合溝
８３ｃ    第２係合溝
８４      第２係合片
８４ａ    差込部
８４ｂ    第３係合溝
８４ｃ    第４係合溝
８５      第１係合片
８６      第２係合片
９１      保持板
９２      保持板
９３      第１係合部
９４      第２係合部
１８５    第１係合片
１８６    第２係合片
【図１】
0003166429.tif 000003
【図２】
0003166429.tif 000004
【図３】
0003166429.tif 000005
【図４】
0003166429.tif 000006
【図５】
0003166429.tif 000007
【図６】
0003166429.tif 000008
【図７】
0003166429.tif 000009
【図８】
0003166429.tif 000010
【図９】
0003166429.tif 000011
【図１０】
0003166429.tif 000012